(57)【要約】【課題】例えば薬剤師により個々の介護施設入居者に対し必要な薬剤を必要量だけ必要な時間に投与できるよう、正確に仕分けされた状態で介護施設に届けられ、介護施設側にとっても要介護者に対する服薬管理がきわめて容易に行える介護施設入居者への薬剤供給システムを提供することを目的とする。【解決手段】薬剤供給者と、介護施設スタッフと、介護施設入居者とを有し、介護施設用薬剤箱は、薬剤収納ケースと薬剤箱本体枠とを備え、収納ケース内を複数の空間に仕切る仕切り板と、仕切られた薬剤収納スペースと、薬剤収納スペースを複数の区切りスペースに区切る脱着自在の区切り板とを有し、薬剤箱本体枠は上下方向に積み重ね可能とされ、薬剤供給者は、介護施設用薬剤箱にあらかじめ薬剤をセットして収納してなり、該当の介護施設入居者は、セットされた薬剤を投与時に合わせて自動的に取得できる、ことを特徴とする。【選択図】              図１
2010042136.tif 000002
【特許請求の範囲】
【請求項１】
介護施設入居者への薬剤供給システムであり、
所定の薬剤を前記介護施設入居者に継続的に供給する薬剤供給者と、当該薬剤供給者から供給された薬剤を受けとる介護施設スタッフと、該介護施設スタッフから前記薬剤を受け取り、継続的に薬剤の投与を受ける介護施設入居者とを有し、
前記薬剤供給者は、前記介護施設入居者個々に対する介護施設用薬剤箱を複数個用意してなり、
該介護施設用薬剤箱は、
袋入り薬剤を収納する薬剤収納ケースと、該薬剤収納ケースを内部にスライドさせて収める薬剤箱本体枠とを備え、
前記薬剤収納ケースは、略方形状をなし、該収納ケース内を複数の空間に仕切る仕切り板と、該仕切り板により仕切られた縦方向に長い空間となる薬剤収納スペースと、該縦方向に長い薬剤収納スペースを縦方向に向かい複数の区切りスペースに区切り可能とされた脱着自在の区切り板と、を有し、
前記複数の区切りスペースは、縦方向に縮小、拡大自在に形成でき、
前記薬剤箱本体枠は、上面に設けられた凸部と、該凸部が遊嵌する下面に設けられた孔部とを有して、上下方向に積み重ね可能とされ、
前記薬剤供給者は、介護施設入居者に対応する各々の介護施設用薬剤箱に、該当の介護施設入居者の薬剤投与時に合わせて、あらかじめ薬剤をセットして収納してなり、
該当の介護施設入居者は、前記セットされた薬剤を投与時に合わせて自動的に取得できる、
ことを特徴とする介護施設入居者への薬剤供給システム。
【請求項２】
投与されるべき薬剤のセットは、前記薬剤収納ケース内を「あさ」「ひる」「よる」「ねるまえ」の薬剤収納スペースに仕切ると共に、前記それぞれの薬剤収納スペース内を各曜日が記載された区切り板により縦方向に区切り、各曜日に取得する薬剤を区分けして行う、
ことを特徴とする請求項１記載の介護施設入居者への薬剤供給システム。
【請求項３】
前記介護施設用薬剤箱は、内部が可視できる透明色部材で形成された、
ことを特徴とする請求項１または請求項２記載の介護施設入居者への薬剤供給システム。
【発明の詳細な説明】
【技術分野】
【０００１】
本発明は、介護施設において介護施設入居者への薬剤投与が正確に、かつスムーズに行え、もって介護施設入居者への薬剤投与が適正に管理できる介護施設入居者への薬剤供給システムに関するものである。
【背景技術】
【０００２】
一般に患者に投与される薬剤は、決まった量を決まった時間に飲むことでその最適な効果が期待できるのであり、また、そのように例えば医師により処方されている。
【０００３】
ここで、介護施設においては、例えば、介護施設の介護施設スタッフが要介護者の服薬を管理するように構成されている。すなわち、介護施設スタッフが要介護者に、決まった時間に必要な薬を渡して服薬を行ってもらうがごときである。
【０００４】
しかしながら、通常、介護施設スタッフ一人につき数人あるいは十数人の要介護者を担当し、しかも薬剤が数種類におよび、それぞれの飲む量や飲む回数が異なってくると、前記介護施設スタッフが行う服薬管理は非常に複雑となりきわめて困難であると言わざるを得ない。
また、介護施設スタッフの仕事は多岐にわたるため、服薬の時間や管理のみに拘泥できないとの実体がある。
【０００５】
このような現状から、薬剤の渡し忘れや薬剤を重複して渡すなどの事態が生ずる可能性があった。
【０００６】
先に述べたとおり、薬剤は、決まった量を決まった時間に飲むことが重要なのであり、飲む量が減ったり、逆に多く服用することは、薬の効果が充分に発揮されないばかりではなく、要介護者の健康を逆に害しかねないとの課題がある。
【０００７】
しかして、従来においては、高齢者自身が薬の飲み忘れや飲み過ぎを防止するための介護施設用薬剤箱が発明されていたにすぎなかった（特開２００３−１８０７９８号公報参照）。
【特許文献１】特開２００３−１８０７９８号公報
【発明の開示】
【発明が解決しようとする課題】
【０００８】
かくして本発明は、前記従来の課題を解消するために創案されたものであって、介護施設における、介護施設スタッフが要介護者の服薬管理に適用される介護施設入居者への薬剤供給システムに関するものであり、該システムによれば、例えば薬剤師により個々の介護施設入居者に対し必要な薬剤を必要量だけ必要な時間に投与できるよう、正確に仕分けされた状態で介護施設に届けられて、そのまま要介護者に届き、もって例えば、介護施設スタッフによる要介護者の服薬管理負担が大幅に軽減されることにより、要介護者の薬剤の飲み忘れや重複服薬を防止することができ、さらには、要介護者複数人分を複数の薬剤箱に分けて収納し、それを安定して重ね合わせることができるため、持ち運びが容易であり、さらに、介護施設側では何らの手当を加えることなく、そのまま要介護者に分ければよく、もって介護施設側にとっても要介護者に対する服薬管理がきわめて容易に行える介護施設入居者への薬剤供給システムを提供することを目的とするものである。
【課題を解決するための手段】
【０００９】
本発明によるは、
介護施設入居者への薬剤供給システムであり、
所定の薬剤を前記介護施設入居者に継続的に供給する薬剤供給者と、当該薬剤供給者から供給された薬剤を受けとる介護施設スタッフと、該介護施設スタッフから前記薬剤を受け取り、継続的に薬剤の投与を受ける介護施設入居者とを有し、
前記薬剤供給者は、前記介護施設入居者個々に対する介護施設用薬剤箱を複数個用意してなり、
該介護施設用薬剤箱は、
袋入り薬剤を収納する薬剤収納ケースと、該薬剤収納ケースを内部にスライドさせて収める薬剤箱本体枠とを備え、
前記薬剤収納ケースは、略方形状をなし、該収納ケース内を複数の空間に仕切る仕切り板と、該仕切り板により仕切られた縦方向に長い空間となる薬剤収納スペースと、該縦方向に長い薬剤収納スペースを縦方向に向かい複数の区切りスペースに区切り可能とされた脱着自在の区切り板と、を有し、
前記複数の区切りスペースは、縦方向に縮小、拡大自在に形成でき、
前記薬剤箱本体枠は、上面に設けられた凸部と、該凸部が遊嵌する下面に設けられた孔部とを有して、上下方向に積み重ね可能とされ、
前記薬剤供給者は、介護施設入居者に対応する各々の介護施設用薬剤箱に、該当の介護施設入居者の薬剤投与時に合わせて、あらかじめ薬剤をセットして収納してなり、
該当の介護施設入居者は、前記セットされた薬剤を投与時に合わせて自動的に取得できる、
ことを特徴とし、
または、
投与されるべき薬剤のセットは、前記薬剤収納ケース内を「あさ」「ひる」「よる」「ねるまえ」の薬剤収納スペースに仕切ると共に、前記それぞれの薬剤収納スペース内を各曜日が記載された区切り板により縦方向に区切り、各曜日に取得する薬剤を区分けして行う、
ことを特徴とし、
または、
前記介護施設用薬剤箱は、内部が可視できる透明色部材で形成された、
ことを特徴とするものである。
【発明の効果】
【００１０】
本発明によれば、例えば薬剤師により個々の介護施設入居者に対し必要な薬剤を必要量だけ必要な時間に投与できるよう、正確に仕分けされた状態で介護施設に届けられて、そのまま要介護者に届き、もって例えば、介護施設スタッフによる要介護者の服薬管理負担が大幅に軽減されると共に、要介護者の薬剤の飲み忘れや重複服薬を防止することができ、さらには、要介護者複数人分を複数の薬剤箱に分けて収納し、それを安定して重ね合わせることができるため、持ち運びが容易であり、さらに、介護施設側では何らの手当を加えることなく、そのまま要介護者に分ければよく、もって介護施設側にとっても要介護者に対する服薬管理がきわめて容易に行える介護施設入居者への薬剤供給システムを提供できるとの優れた効果を奏する。
【発明を実施するための最良の形態】
【００１１】
以下本発明を図に示す実施例に基づいて説明する。
本発明は、介護施設入居者３０へ確実、かつ迅速に薬剤を提供できる薬剤供給システムであり、所定の薬剤３１を前記介護施設入居者３０に継続的に供給する薬剤供給者３２と、当該薬剤供給者３２から供給された薬剤３１を受けとる介護施設スタッフ３３と、該介護施設スタッフ３３から前記薬剤３１を受け取り、継続的に薬剤３１の投与を受ける介護施設入居者３０とを有して構成される。
【００１２】
そして、前記薬剤供給者３２は、主に、薬剤師が該当するものであり、担当医師が行った診断に従って所定の薬剤を処方するものとなる。
そして、その処方した薬剤３１を、介護施設スタッフ３３の手を煩わせることなく前記介護施設入居者３０個々に届けることが出来、介護施設入居者はそのまま簡単に決められた時間に決められた量の薬剤を服薬できることとなる。
そのため、前記介護施設入居者３０個々に対する介護施設用薬剤箱１を複数個用意し、その介護施設用薬剤箱１に処方した薬剤３１を該当の介護施設入居者３０が決められた時間に決められた量の薬剤を服薬できるよう、あらかじめセットしておくのである。
【００１３】
ここで、本発明における介護施設用薬剤箱１は、あらかじめ１回分として小分けされた袋入りの薬剤３１を後述の通り決められた時間に決められた量の薬剤を服薬できるよう、収納できる薬剤収納ケース２と、該薬剤収納ケース２を内部にスライドさせて収める、いわゆる外箱となる薬剤箱本体枠３とを備え構成される。
ここで、前記薬剤３１は、錠剤である場合、顆粒状の場合、粉末状の場合もあり、それぞれ袋に密閉収納され、小分けされるものとなる。
【００１４】
次に、前記薬剤収納ケース２は、略方形状をなして形成されており、該収納ケース２内は複数の縦方向に延びる空間に仕切る仕切り板４・・・と、該仕切り板４・・・により仕切られ、前記したように縦方向に長い空間となった複数の薬剤収納スペース５・・・と、この縦方向に長い薬剤収納スペース５を縦方向に向かい、複数の区切りスペース３５・・・に区切るべく、脱着自在の複数個の区切り板８・・・とを有して構成されている。そして、前記した複数個の区切りスペース３５・・・は、前記区切り板８の区切り位置を調整することにより縦方向に向かいそのスペースを縮小し、または拡大自在に形成できるようになっている。
【００１５】
次に、薬剤箱本体枠３は、その上面に設けられた凸部１０と、該凸部１０が遊嵌する下面に設けられた孔部１１とを有して、上下方向に積み重ね可能とされている。
ここで、前記薬剤供給者３２は、介護施設入居者３０に対し、それぞれ対応する各々の介護施設用薬剤箱１を用意している。そして、そのそれぞれ対応する各々の介護施設用薬剤箱１には、対応する介護施設入居者３０の薬剤投与時に合わせて、あらかじめ複数分の小分けされた薬剤３１・・・をセットして収納してある。
もって、該当の介護施設入居者３０は、前記セットされた薬剤３１を投与時に合わせて自動的に取得できるシステムとなっているのである。
【００１６】
ところで、投与されるべき薬剤３１のセット方法としては、例えば、前記薬剤収納ケース２内を「あさ」「ひる」「よる」「ねるまえ」の４つの薬剤収納スペース５に仕切ると共に、前記それぞれの薬剤収納スペース５内を各曜日が記載された区切り板８を使用し、該区切り板８により縦方向に区切って区切りスペース３５を形成し、その区切りスペース３５に各曜日ごとに投与されて飲まなければならない薬剤３１を区分けしてセットするのである。
これにより、介護施設内の介護施設入居者３０は、自己の介護施設用薬剤箱１の中から薬剤収納ケース２を引いてあけ、この薬剤収納ケース２から、該当する曜日の該当する時間、例えば月曜日の「あさ」あるいは月曜日の「ひる」のスペースに収納されている「薬剤」を取り出し、その薬剤を服薬すればいいものとなっている。
【００１７】
従来では、例えば介護施設入居者３０に処方された薬剤は、例えば１週間の単位で大きな袋に入って、手渡されており、例えば、介護施設スタッフ３３などは、その大きな袋の中から、該当する曜日の該当投与時間にあった薬剤をいちいち探さなければならず、この作業が面倒であると共に、長時間の作業となっていたのである。
しかしながら、あらかじめ薬剤供給者側で個々の該当者用に予めセットしておけば、例えば現場における介護スタッフ３３の労力を著しく削減することが出来るのである。
【００１８】
次に、本発明に係る前記介護施設用薬剤箱１は、耐久性のある合成樹脂製、例えばアクリル製などで、かつ内部が可視できるよう透明色部材で形成するものとする。
しかして、該介護施設用薬剤箱１の材質は、何ら制限されるものではないが、内部に収納する薬剤３１の確認を容易にするため、透明色のものを用いるのが望ましいのである。
【００１９】
次に、前述したように、前記薬剤収納ケース２の内部には、手前から奥行き方向に向かって、すなわち縦方向に仕切るべく仕切り板４を設けた。
本実施例においては、３枚の仕切り板４を設け、４箇所の縦長薬剤収納スペース５を形成している。
そして、前記薬剤収納スペース５の両側面下部には、薬剤収納スペース５の長手方向に沿って多数の区切り板固定突起６・・・が形成されている。そして該区切り板固定突起６の間には略同様の長さからなる溝部７が形成され、該溝部７間に区切り板８を嵌め込むことで、該薬剤収納スペース５内において縦方向に区切られた複数の区切りスペース３５を形成することができるのである。
【００２０】
かかる構造を採用することにより、前記区切り板８は、前記溝部７に固定してスペースを形成する区切り板８の枚数やその固定する位置を自由に選択でき、薬剤３１のアレンジメントが簡単に行えるとの利点を有している。
次いで、前記薬剤収納ケース２の手前部分には幅方向に向かって、前方に張り出した引き出し用取っ手９が形成されている。該引き出し用取っ手９は、薬剤収納ケース２が前記介護施設用薬剤箱本体枠３に収まった状態から、該薬剤収納ケース２を手前に引き出しを容易にするために設けられたものである。
【００２１】
また、前記引き出し用取っ手９の上面部には、前記４つの薬剤収納スペース５毎に左側の該薬剤収納スペース５から順に、「あさ」「ひる」「よる」「ねるまえ」の文字が表記されている。
すなわち、本実施例においては、薬剤収納スペース「あさ」の部分には、前記区切り板８により一週間分の区切りを作ることで、要介護者が朝に服薬する例えば一週間分の薬剤が収納されるのである。同様に、薬剤収納スペース「ひる」の部分には要介護者が昼に飲む一週間分の薬剤が、薬剤収納スペース「よる」の部分には要介護者が夜に飲む一週間分の薬剤が、薬剤収納スペース「ねるまえ」の部分には要介護者が就寝前に飲む一週間分の薬剤がそれぞれ小分けされ収納されているのである。
【００２２】
さらに、引き出し用取っ手部９の前面部には、例えば、介護施設名、部屋番号、及び介護施設入居者の名前等のプレートが着脱自在に取り付けられるプレート係止部３４が設けられている。
また、前記で述べたとおり、前記区切り板８の枚数及び固定する位置は自由に選択できるため、個々の要介護者に対応すべくそれぞれ異なる薬剤の種類又は薬剤の量に応じた仕切り方が可能となる。
【００２３】
ここで、前記薬剤収納ケース２に収納される薬剤３１は、例えば薬剤師によって行われることすでに述べた。
すなわち、本発明にかかる介護施設用薬剤箱１は、例えば薬剤師により処方通り必要な薬剤を必要量だけ必要な時間に服薬できるよう既に仕分けされた状態で介護施設に届けられるため、介護スタッフにとって、服薬の管理負担がかなり軽減されることになるのもすでに述べたとおりである。
例えば、既に仕分けられた薬剤３１を、服薬時間に、薬剤収納ケース２の手前から順に要介護者に渡していけばよいだけだからである。
【００２４】
次に、前記介護施設用薬剤箱本体枠３の構造について説明する。
図に示すとおり、介護施設用薬剤箱本体枠３は、方形状の箱体からなる。
そして、該介護施設用薬剤箱本体枠３の例えば上面四方隅部には、それぞれ円形状の凸部１０・・・が設けられている。
また、前記介護施設用薬剤箱本体枠３の下面には、前記凸部１０・・・に対向する位置において、該下面四方隅部にそれぞれ円形状の孔部１１・・・が設けられている。
【００２５】
このことから、複数の介護施設用薬剤箱１を上に重ねる際、下部に位置する介護施設用薬剤箱１の介護施設用薬剤箱本体枠３の凸部１０と、上部に位置する介護施設用薬剤箱１の介護施設用薬剤箱本体枠３の孔部１１とが嵌り合い、何段にも積み重ねることが出来るのである。しかも、上方に位置する介護施設用薬剤箱１がずれたりすることがないのである。
したがって、例えば、薬剤師による処方通りの仕分けの済んだ薬剤入りの介護施設用薬剤箱１を輸送車に積み込む際、輸送する際、また、介護施設に運び出す際においても、何段にも積み上げた複数の介護施設用薬剤箱１・・・は安定性を保持して運ぶことが出来るものとなっている。
【００２６】
さらに、該介護施設用薬剤箱１を利用する介護施設においても、安定して上に積み上げることができることにより、省スペースで介護施設用薬剤箱１を管理できる。
また、前記介護施設用薬剤箱本体枠３の背面部には、例えば前記孔部１１と同様の形状の、円形状の空気孔１２が幅方向に、例えば３箇所にわたって設けられている。
該空気孔１２が存在することにより、薬剤収納ケース２を介護施設用薬剤箱本体枠３に収める際に、該介護施設用薬剤箱本体枠３内の空気を該空気孔１２を通して外部に逃すことで、スムーズに該薬剤収納ケース２の収納をすることができる。
【００２７】
以上から、本発明による介護施設用薬剤箱１は、薬剤師により必要な薬を必要量だけ必要な時間に仕分けされた状態で介護施設に届けられ、介護者による要介護者の服薬の管理負担が軽減されることにより、もって、要介護者の薬の飲み忘れや重複服薬を確実に防止することができる。
また、複数の介護施設用薬剤箱１を安定して積み重ねることができるため、持ち運びが容易となり、さらに、介護施設においても管理が容易になる。
【図面の簡単な説明】
【００２８】
【図１】本発明による介護施設入居者への薬剤供給システムの概要図である。
【図２】本発明に係る介護施設用薬剤箱の外観の説明図である。
【図３】本発明に係る介護施設用薬剤箱を構成する薬剤収納ケースの外観の説明図である。
【図４】本発明に係る介護施設用薬剤箱を構成する介護施設用薬剤箱本体枠の外観の説明図である。
【図５】本発明に係る介護施設用薬剤箱の使用状態を説明した説明図である。
【符号の説明】
【００２９】
１      介護施設用薬剤箱            
２      薬剤収納ケース
３      介護施設用薬剤箱本体枠
４      仕切り板
５      薬剤収納スペース
６      区切り板固定突起
７      溝部
８      区切り板
９      引き出し用取っ手
１０    凸部
１１    孔部
１２    空気孔
３０    介護施設入居者
３１    薬剤
３２    薬剤供給者
３３    介護施設スタッフ
３４    プレート係止部
３５    区切りスペース
【図１】
2010042136.tif 000003
【図２】
2010042136.tif 000004
【図３】
2010042136.tif 000005
【図４】
2010042136.tif 000006
【図５】
2010042136.tif 000007